(57)【要約】【課題】芯線に外部信号が誤信号となって入り込まないよう芯線をシールド材で被覆し、さらに外シースで被覆したケーブルを、曲げたような場合、外シースとシールド材との位置ズレを防止し、芯線の断線等のないケーブルを提供する。【解決手段】ケーブル１は、シールド材６を外シース７から露出させ、該露出部を外シース７の外周に折り返して重ね合わせ、該重ね合わせ部６ａを外シース７に固定してあるから、ケーブル１を曲げた場合に、シールド材６と外シース７とが位置ズレしてしまうことがなく、このため芯線５が無理に引っ張られてしまうことを回避できることになる。【選択図】図１
2007336633.tif 000002
【特許請求の範囲】
【請求項１】
少なくとも１本以上の芯線と、
該芯線をシールドすべく芯線を被覆するシールド材と、
該シールド材を被覆して外皮になる外シースとを備えて構成されるケーブルにおいて、
該ケーブルの端部に、シールド材および外シースを削除して芯線を露出するにあたり、
外シースは、シールド材が露出するようにして削除され、
シールド材は、露出部を折り返して外シースの外面に重ね合わせ、該重ね合わせ部を外シースに固定したことを特徴とするケーブル。
【請求項２】
重ね合わせ部は、外シースを筒状に被覆していることを特徴とする請求項１記載のケーブル。
【請求項３】
重ね合わせ部は、外シースの外面に束状に纏められていることを特徴とする請求項１記載のケーブル。
【請求項４】
重ね合わせ部の外シースへの固定は熱収縮チューブであることを特徴とする請求項１乃至３の何れか一つに記載のケーブル。
【請求項５】
熱収縮チューブは、芯線から重ね合わせ部先端を越えて外シースにまで至る長さに設定されていることを特徴とする請求項１乃至４の何れか一つに記載のケーブル。
【請求項６】
外シースには、重ね合わせ部先端よりも先側に位置してケーブル引入れ用のグロメットが取り付けられていることを特徴とする請求項１乃至５の何れか一つに記載のケーブル。
【発明の詳細な説明】
【技術分野】
【０００１】
本発明は、芯線をシールドすべく芯線を被覆したシールド材を、さらに外シースで被覆したケーブルに関する技術分野に属するものである。
【背景技術】
【０００２】
一般に、この種ケーブルのなかには、芯線に外部信号が誤信号となって入り込まないよう芯線をシールド材で被覆し、さらにシールド材を外シースで被覆したものがあり、このようなケーブルを曲げた場合、芯線、シールド材、外シースの曲げ状態が異なることになり、そしてこの曲げを解除した場合、芯線、シールド材、外シースが位置ズレしてしまうというおそれがある。そこで従来、このようなケーブル内部での位置ズレを防止するため、ケーブル引入れ用のケーシングに、外シースを弾圧状に保持するための第一保持部と、シールド材および芯線を弾圧状に保持するための第二保持部とを備え、これら保持部で外シースと、シールド材および芯線とを保持するようにしたものがあるものがある（例えば、特許文献１参照。）。
【特許文献１】特開平１０−２１９９４号公報
【発明の開示】
【発明が解決しようとする課題】
【０００３】
しかるにこのものは、外シースとシールド材とが各別に保持されていて相互に固定されたものではないため、ケーブルを曲げたような場合、外シースとシールド材とが位置ズレしてしまうという問題がある。しかも一度位置ズレが生じたものを元状態に戻すことは難しく、このため、芯線が無理に引っ張られた状態になったりして断線しやすくなる等の問題があり、これらに本発明の解決しようとする課題がある。
【課題を解決するための手段】
【０００４】
本発明は、上記の如き実情に鑑みこれらの課題を解決することを目的として創作されたものであって、請求項１の発明は、少なくとも１本以上の芯線と、該芯線をシールドすべく芯線を被覆するシールド材と、該シールド材を被覆して外皮になる外シースとを備えて構成されるケーブルにおいて、該ケーブルの端部に、シールド材および外シースを削除して芯線を露出するにあたり、外シースは、シールド材が露出するようにして削除され、シールド材は、露出部を折り返して外シースの外面に重ね合わせ、該重ね合わせ部を外シースに固定したことを特徴とするケーブルである。
請求項２の発明は、重ね合わせ部は、外シースを筒状に被覆していることを特徴とする請求項１記載のケーブルである。
請求項３の発明は、重ね合わせ部は、外シースの外面に束状に纏められていることを特徴とする請求項１記載のケーブルである。
請求項４の発明は、重ね合わせ部の外シースへの固定は熱収縮チューブであることを特徴とする請求項１乃至３の何れか一つに記載のケーブルである。
請求項５の発明は、熱収縮チューブは、芯線から重ね合わせ部先端を越えて外シースにまで至る長さに設定されていることを特徴とする請求項１乃至４の何れか一つに記載のケーブルである。
請求項６の発明は、外シースには、重ね合わせ部先端よりも先側に位置してケーブル引入れ用のグロメットが取り付けられていることを特徴とする請求項１乃至５の何れか一つに記載のケーブルである。
【発明の効果】
【０００５】
請求項１の発明とすることにより、ケーブルを曲げた場合に、シールド材と外シースとが位置ズレしてしまうことがなく、このため芯線が無理に引っ張られてしまうことを回避することができる。
請求項２の発明とすることにより、シールド材は、外シースの外周面に筒状に折り返されるため、外シースに確り固定することができる。
請求項３の発明とするこにより、外シースの外周面には、重ね合わせ部がない部分があるため、ケーシングとケーブルとのあいだに隙間を殆ど取れない状態でケーブルをケーシングに引き込む場合、ケーシング側に重ね合わせ部が来ないようにして組み込むことができる。
請求項４の発明とすることにより、重ね合わせ部の固定作業を容易にすることができる。
請求項５の発明とすることにより、熱収縮チューブは、重ね合わせ部と外シースと芯線とを一体的に固定しているため、位置ズレを回避することができる。
請求項６の発明とすることにより、ケーブルは、引っ張られてグロメットが熱収縮チューブに当接したとしても、ケーブルは一体化固定されているため、前記当接状態以上に引っ張られることがなく、この結果、芯線のセンサの接続部位に無理な負担がかかってしまうことも回避できることになる。
【発明を実施するための最良の形態】
【０００６】
次に、本発明の実施の形態について図面に基づいて説明する。図面において、１はモータの回転数やトルク等を検知するためのセンサ２に接続されるケーブルであって、該ケーブル１は、センサ２を格納したケーシング３に、保持手段としてグロメット４を介して保持された状態で引き込まれている。
【０００７】
前記ケーブル１は、少なくとも１本の芯線（該芯線は一般に絶縁材で被覆されている）５と、該芯線５が複数本ある場合に、これを束ねるべく被覆した内シース材８と、該内シース材８を被覆して芯線５に外部信号等が誤信号として入り込むのを防止するシールド材６と、ケーブル１の外皮となるべくシールド材６を被覆した外シース７とを備えて構成されているが、シールド材６は銅線等の金属線を編組した網目模様として構成されている。
【０００８】
ケーブル１の端部を前記ケーシング３に引き込み組み付けして裸芯線５をセンサ２に接続する場合に、該ケーブル１の端部は、芯線５の必要長さ分が露出するよう外シース７、シールド材６、内シース８を削除することになるが、この場合に、シールド材６は外シース７から露出するよう長い状態にし、該露出部を筒状に折り返して外シース７の外周面に重ね合わせて重ね合わせ部６ａを形成した状態で、内面接着剤付きの熱収縮チューブ９を、露出する芯線５から重ね合わせ部６ａの先端を越えて外シース７の外周面に至るまで被覆し、この状態で熱収縮チューブ９を加熱して収縮せしめることで、芯線５、シールド材６、外シース７は一体化された状態で固定される。
そしてケーブル１は、予め挿通組み込みされたグロメット４をケーシング３に組み込むと共に、裸芯線５をセンサ２に接続することで電気的な接続ができるようになっている。
【０００９】
叙述の如く構成された本発明の実施の形態において、ケーブル１は、シールド材６を外シース７から露出させ、該露出部を外シース７の外周に折り返して重ね合わせ、該重ね合わせ部６ａを外シース７に固定してあるから、ケーブル１を曲げた場合に、シールド材６と外シース７とが位置ズレしてしまうことがなく、このため芯線５が無理に引っ張られてしまうことを回避できることになる。
【００１０】
しかもこのものでは、重ね合わせ部６ａと外シース７との固定が、熱収縮チューブ９を用いて固定しているため、固定作業が容易であるが、熱収縮チューブ９には接着剤が塗布されているため、固定がより確実なものになる。
【００１１】
そのうえ熱収縮チューブ９は、重ね合わせ部６ａと外シース７との固定だけでなく、芯線５までをも固定しているため、芯線５の位置ズレも回避できることになる。
さらにケーブル１は、グロメット４を介してケーシング３に設けた引き込み孔３ａに挿入組み込まれることになるが、ケーブル１が引っ張られてグロメット４が熱収縮チューブ９に当接したとしても、ケーブル１は一体化固定されているため、前記当接状態以上に引っ張られることがなく、この結果、芯線５のセンサ２の接続部位に無理な負担がかかってしまうことも回避できることになる。
【００１２】
尚、本発明は前記実施の形態に限定されるものでないことは勿論であり、例えば図２に示される第二の実施の形態のようにしても実施することができる。このものにおいて、前記第一の実施の形態と同様のものについては同じ引出し符号を付してその詳細な説明を省略する。
【００１３】
本第二の実施の形態のケーブル１０は、シールド材１１の外シース７から露出する部位を折り返して固定することになるが、該折り返して外シース７に重ね合わせる重ね合わせ部１１ａを束状に纏めたものにした状態で熱収縮チューブ９を用いて固定したものであり、外シース７の外周面には、重ね合わせ部１１ａがない部分があって、この部分は熱収縮チューブ９の厚さ分だけ太径になったものとなる。この結果、図２（Ａ）に示すように、ケーブル１０とケーシング１２とのあいだに隙間を殆ど取れないような場合に、この隙間部位に重ね合わせ部１１ａが来ないようにして組み込むことで、重ね合わせ部１１ａが邪魔しない状態での取り付けができる。
【図面の簡単な説明】
【００１４】
【図１】（Ａ）はケーシングに引き込まれた状態のケーブルを示す概略図、（Ｂ）はケーブルの構成を示すケーブルの側面断面図、（Ｃ）は重ね合わせ部が外シースに重ね合わされて固定された部分のケーブルの正面断面図である。
【図２】（Ａ）は第二の実施の形態においてケーシングに引き込まれた状態のケーブルを示す概略図、（Ｂ）はケーブルの構成を示すケーブルの側面断面図、（Ｃ）は重ね合わせ部が外シースに重ね合わされて固定された部分のケーブルの正面断面図である。
【符号の説明】
【００１５】
１        ケーブル
３        ケーシング
４        グロメット
５        芯線
６        シールド材
６ａ      重ね合わせ部
７        外シース
９        熱収縮チューブ
【図１】
2007336633.tif 000003
【図２】
2007336633.tif 000004